(57)【要約】【課題】架空送電線をＸ線撮影で検査する際に、架空送電線上で撮影装置を撮影箇所に移動させ、取付けるための治具を提供する。  【解決手段】全体として不等辺直角三角柱状の治具であり、２つの三角形の各辺に相当する梁と、３組の相対向する頂点部を結合する梁と、補助の梁を有する骨組み構造であり、直角を挟む短辺となる２本の梁は治具の使用時には上方にあり、その下方位置に治具を架空送電線上で移動させる部材と架空送電線に固定する部材とフイルム装着部が取付けられており、直角を挟む長辺となる２本の梁の下部はＸ線発生装置を取付ける構造とされ、斜辺となる２本の梁は、各々上部側梁と下部側梁とからなり、上部側梁は下部で下部側梁に回転可能に取付けられ、上部で短辺となる２本の梁に着脱自在とされ、下部側梁は上部側で直角を挟む長辺となる２本の梁に各々補助の梁を介して固定支持されていることを特徴とする架空送電線のＸ線撮影用治具。【選択図】図１
2007292508.tif 000002
【特許請求の範囲】
【請求項１】
全体として不等辺直角三角柱状の治具であり、
２つの不等辺直角三角形の各辺に相当する梁と、３組の相対向する頂点若しくはその近傍を相互に結合する梁と、前記各梁をさらに結合する補助の梁を複数本有する骨組み構造であり、
直角を挟む短辺となる２本の梁は治具の使用時には上方に位置し、これら２本の梁には、あるいはこれら２本の梁の間に平行して２本の補助の梁が取付けられている場合には前記２本の梁かこれら２本の補助の梁のいずれかには、各々の下方に架空送電線に乗せて治具を移動させるための移動用部と架空送電線に治具を固定するための固定用部が取付けられており、
直角の頂点を相互に結合する部分の梁には、その下方に、前記固定用部にて固定された架空送電線に対して所定の高さとなる位置にフイルム装着部が、前記直角を挟む短辺に平行に取付けられており、
直角を挟む長辺となる２本の梁の下部は、前記フイルム装着部から所定の距離にＸ線発生装置を取付け可能とする構造となされており、
前記斜辺となる２本の梁は、各々上部側梁と下部側梁とからなり、上部側梁はその下部で下部側梁に回転可能に取付けられ、その上部は各々前記短辺となる２本の梁に着脱自在とされており、下部側梁はその上部側で前記直角を挟む長辺となる２本の梁に各々補助の梁を介して固定支持されていることを特徴とする架空送電線のＸ線撮影用治具。
【請求項２】
前記２つの不等辺直角三角形の各辺に相当する梁と前記３組の相対向する頂点若しくはその近傍を相互に結合する梁は、金属製管であることを特徴とする請求項１に記載の架空送電線のＸ線撮影用治具。
【請求項３】
前記直角を挟む短辺となる２本の梁およびこれら２本の梁と同じ高さに位置する梁は、それら相互の結合は全て溶接によりなされており、
前記直角を挟む短辺となる２本の梁と前記直角を挟む長辺となる２本の梁との結合は、ボルト締めであることを特徴とする請求項１または請求項２に記載の架空送電線のＸ線撮影用治具。
【請求項４】
前記直角を挟む短辺となる２本の梁と前記直角を挟む長辺となる２本の梁とを結合するボルト締めは、着脱自在であり、かつボルトの回り止めを有していることを特徴とする請求項３に記載の架空送電線のＸ線撮影用治具。
【請求項５】
前記直角を挟む長辺となる２本の梁と、前記直角を挟む短辺となる２本の梁以外の梁との結合は溶接でなされていることを特徴とする請求項１ないし請求項４のいずれかに記載の架空送電線のＸ線撮影用治具。
【請求項６】
前記下部側梁は、その上部側で前記直角を挟む長辺となる２本の梁と各々補助の梁を介して固定支持され、前記の固定支持する箇所および当該箇所より下方となる位置での他の梁との結合は、溶接でなされていることを特徴とする請求項１ないし請求項５のいずれかに記載の架空送電線のＸ線撮影用治具。
【請求項７】
直角を挟む短辺となる２本の梁の間に平行して取付けられた２本の補助の梁を有し、これら２本の補助の梁に、前記移動用部と固定用部が、ともにボルトで取付けられていることを特徴とする請求項１ないし請求項６のいずれかに記載の架空送電線のＸ線撮影用治具。
【請求項８】
前記移動用部は、中央部に架空送電線を嵌め込む凹部が形成されたローラを有し、かつ治具の下部にＸ線発生装置を装着して架空送電線にローラを乗せた状態で、前記ローラが鉛直方向を向く様に取付けられていることを特徴とする請求項１ないし請求項７のいずれかに記載の架空送電線のＸ線撮影用治具。
【請求項９】
前記移動用部は、脱線防止用紐を有し、前記脱線防止用紐は、前記ローラを架空送電線に乗せた状態で、中央の部分は架空送電線の下方に位置し、両端の部分はローラを支持する部材の両端近傍かつ前記脱線防止用紐がローラの反対面側に位置する様に取付けられることを特徴とする請求項８に記載の架空送電線のＸ線撮影用治具。
【請求項１０】
前記固定用部の架空送電線を把持する部分と、前記移動用部のローラの下方の凹部とは、前記直角を挟む短辺となる２本の梁からの上下方向の高さが同じ位置にあることを特徴とする請求項８または請求項９に記載の架空送電線のＸ線撮影用治具。
【請求項１１】
前記移動用部は、前記不等辺直角三角形の２箇所の直角の頂点となる箇所かつ治具の外側に溶接された水平のリングを有していることを特徴とする請求項１ないし請求項１０のいずれかに記載の架空送電線のＸ線撮影用治具。
【請求項１２】
平面形は口字状であり、
天井枠と底枠と架空送電線に直行する方向の側端壁を有し、
天井枠は、前記直角を挟む短辺となる２本の梁、またはこれら２本の梁およびこれら２本の梁と同じ高さに位置する補助の梁から垂下した梁により水平に保持され、
底枠には中央に架空送電線が位置するための切欠きが形成され、さらに４箇所の隅角部には下方からボルトがねじ込まれており、
架空送電線に平行な側面からフイルムの装着および取出しが可能であり、
前記固定用部により治具を架空送電線に固定した状態で、前記装着したフイルムの下面が架空送電線の上端に接する様に調節することが可能であるフイルム装着部を有していることを特徴とする請求項１ないし請求項１１のいずれかに記載の架空送電線のＸ線撮影用治具。
【請求項１３】
前記直角を挟む長辺となる２本の梁の下部かつ前記フイルム装着部から所定の距離の位置に、孔が所定の間隔で上下方向に形成された上下に細長い立板が各１個、前記孔が形成された面が治具の内部側に面する様に配置され、溶接で取付けられている構造のＸ線発生装置取付け部を有していることを特徴とする請求項１ないし請求項１２のいずれかに記載の架空送電線のＸ線撮影用治具。
【請求項１４】
Ｘ線発生装置は、両端を前記２個の上下に細長い立板にボルトで固定された上下２個の横板と、上下を前記上下２個の横板の中央にて固定された垂直板とを使用して治具に固定されていることを特徴とする請求項１ないし請求項１３のいずれかに記載の架空送電線のＸ線撮影用治具。
【請求項１５】
前記２本の下部側梁は、その上部で補助の梁にて相互に補強結合され、前記補助の梁の中央部には治具に取付けられたＸ線発生装置の落下防止用のロープを固定する鉤が設けられていることを特徴とする請求項１ないし請求項１４のいずれかに記載の架空送電線のＸ線撮影用治具。
【請求項１６】
前記架空送電線に治具を固定するための固定用部は、
架空送電線の外周を把持して固定するためのクランプと、
前記クランプの架空送電線の外周を把持するための孔よりも小さい外径の架空送電線の外周を把持して固定することが可能である様に、カラーを有していることを特徴とする請求項１ないし請求項１５のいずれかに記載の架空送電線のＸ線撮影用治具。
【発明の詳細な説明】
【技術分野】
【０００１】
本発明は架空送電線のＸ線撮影用治具に関し、特に架空送電線の内部腐食の状況を検査するためにＸ線発生装置とフイルムを電線に対して固定する治具に関する。
【背景技術】
【０００２】
架空送電線は数十〜数百メートル離れた鉄塔間に架設されるため、通常中心に亜鉛（Ｚｎ）めっき鋼線あるいは表面にアルミニウム層を固着したアルミ覆鋼線の細線を撚った芯線部を設け、その外周に導電性が良好かつ密度が小さいアルミニウム製の細線を複数本巻付けて外周線部を設けた構造（鋼芯アルミニウム撚線、ＡＣＳＲ）とされている。これにより、主として芯線部が外力や自重を受持ち、その外周の外周線部が導電を受持つこととなる。
【０００３】
なお、外周線部には、アルミニウム線が複数層巻付けられていることが多い。
架空送電線は、一旦架設されると長年厳しい日照や風雨に晒され続けることとなる。特に、海岸線近くでは塩害があり、工場地帯では硫黄分や酸化窒素を含む産業廃棄ガスに晒され易く、また近年では酸性雨にも晒される。このような結果、架空送電線には腐食が発生し易い。特に、芯線部や複数層巻付けられた外周線部の内、内側の外周線には腐食発生を促す物質が滞留し易く、腐食が発生し易い。また、ＡＣＳＲの場合、アルミニウムは比較的化学的活性に富むだけでなく、鋼線あるいはＺｎめっき鋼線という異種の金属に相互に接触しているため、なおさら腐食し易い（特許文献１、同２、非特許文献１）。
【０００４】
さらに、腐食の進行を放置しておくと、電気抵抗の増加による発熱を原因とする火災、強風や自重に基づく荷重による断線等の事故が生じかねない。このため、架空送電線から試験試料を切り取る必要がなく、さらに外径の変化の測定や過流探傷法等に比較して精度が高く、小さな異常でも検出可能である検査手段として、Ｘ線撮影を行い、さらにその画像をクラスター処理する発明がなされている（特許文献３）。
【特許文献１】特開２００３−７９０１８号公報
【特許文献２】特開２０００−２７５１６５号公報
【特許文献３】特願２００５−２１０８４０号明細書、図面
【非特許文献１】架空送電線の電線劣化（腐食）現象調査専門委員会編「架空送電線の電線腐食現象」電気学会技術報告、電気学会、２００４年６月、第９６８号（Ｂ部門）Ｐ．５４−６５
【発明の開示】
【発明が解決しようとする課題】
【０００５】
鉄塔に架設された状態の架空送電線をＸ線で検査するためには、Ｘ線発生装置、Ｘ線フイルム（含む、ＩＰプレート）、それらを架空送電線に取付けるための治具（以下、「取付け用治具」とも記す）等の撮影用の機材を架空送電線が架設された場所まで運び込み、鉄塔を利用して架空送電線に移動可能な状態で取付け、さらに架空送電線の検査対象の箇所まで当該架空送電線上を移動させ、次にその場所でＸ線発生装置とＸ線フイルムを架空送電線に対して所定の位置関係を保持して固定する必要がある。
しかし、架空送電線は、鉄塔間で空中にぶら下がっているため本来的に極めて不安定であり、また山間等の僻地にあることが多いこともあり風等のため絶えず動揺（周期が長い振動や周期は短いが振幅が小さい振動）している。
また、作業中に風雨に晒されることも少なからずある。
【０００６】
このため、Ｘ線発生装置とＸ線フイルムのみならずそれらを架空送電線に取付けるための治具そのものの架空送電線への取付けやＸ線撮影は、単なる高所作業と異なり、危険性が高く、高度の熟練が必要である。
また、レンズを使用出来ないＸ線撮影で鮮明な映像を得るためには、フイルムは架空送電線に密接して固定され、Ｘ線発生装置は架空送電線から一定の範囲内で距離を調節可能にして取付けられる様にする必要があるが、架空送電線が動揺している上に高所作業であるため、取付け用治具にはハードとソフトの両面から作業の容易性の確保と落下事故の防止に充分な配慮と注意が求められる。
また、架空送電線は動揺していることが多いため、撮影装置、特に取付け用治具は吸振性を有していることが好ましい。
【０００７】
また、Ｘ線の被曝は人体に大きな悪影響を与えるため、Ｘ線撮影装置の取付け用治具はハードとソフトの両面から撮影に従事する者の被曝を完全、確実に防止する様になされている必要がある。
また、検査対象の架空送電線は一般的に山間等の交通が不便な場所にあることが多く、特に最終段階では人力で行わねばならないことが多いため、撮影用の機材の搬送も重労働となる。また、高所に架設されている架空送電線への撮影用の機材の取付けも重労働となる。このため、Ｘ線撮影に必要な装置は、特に一番重い取付け用治具は、可能な限り軽量とする必要がある。
【０００８】
これらのため、架空送電線の損傷の状態をＸ線撮影と画像処理を使用して検査する際に、空中で動揺する架空送電線にＸ線発生装置やフイルムを今以上に安全、確実に固定して取付け、さらに撮影することが出来る様にすることはもちろんのこと、高所での作業や取扱いが一段と容易となり、強度や対振動性に優れ、しかも軽量な取付け用治具の開発が望まれていた。
【課題を解決するための手段】
【０００９】
本発明は以上の課題を解決することを目的としてなされたものであり、取付け用治具を全体として不等辺直角三角柱状とし、２つの不等辺直角三角形の各辺に相当する梁、３組の相対向する頂点を相互に結合する梁等を有する骨組み構造とし、さらに直角を挟む長辺の下部かつ治具の内部側にＸ線発生装置をその高さの位置を調節して取付け可能とし、短辺の下方となる位置に治具全体を架空送電線上で移動するためのローラと固定するための把持クランプを取付け、斜辺に架空送電線を内部に通すための開放機構を設けたものである。
また、一層の安全性を確保し、良好な取扱い性を得るために様々な工夫を凝らしたものである。以下、各請求項の発明を説明する。
【００１０】
請求項１に記載の発明は、
全体として不等辺直角三角柱状の治具であり、
２つの不等辺直角三角形の各辺に相当する梁と、３組の相対向する頂点若しくはその近傍を相互に結合する梁と、前記各梁をさらに結合する補助の梁を複数本有する骨組み構造であり、
直角を挟む短辺となる２本の梁は治具の使用時には上方に位置し、これら２本の梁には、あるいはこれら２本の梁の間に平行して２本の補助の梁が取付けられている場合には前記２本の梁かこれら２本の補助の梁のいずれかには、各々の下方に架空送電線に乗せて治具を移動させるための移動用部と架空送電線に治具を固定するための固定用部が取付けられており、
直角の頂点を相互に結合する部分の梁には、その下方に、前記固定用部にて固定された架空送電線に対して所定の高さとなる位置にフイルム装着部が、前記直角を挟む短辺に平行に取付けられており、
直角を挟む長辺となる２本の梁の下部は、前記フイルム装着部から所定の距離にＸ線発生装置を取付け可能とする構造となされており、
前記斜辺となる２本の梁は、各々上部側梁と下部側梁とからなり、上部側梁はその下部で下部側梁に回転可能に取付けられ、その上部は各々前記短辺となる２本の梁に着脱自在とされており、下部側梁はその上部側で前記直角を挟む長辺となる２本の梁に各々補助の梁を介して固定支持されていることを特徴とする架空送電線のＸ線撮影用治具である。
【００１１】
本請求項の発明においては、全体として不等辺直角三角柱状の治具であり、主な部分は梁からなる骨組み構造であるため、治具は軽量となる。
梁は、特に主な梁は、金属製であることが好ましい。
また、不等辺直角三角柱内に架空送電線を取入れた状態で架空送電線上を移動し、架空送電線に固定されるため、落下の恐れがなく、安全である。
なお、不等辺直角三角柱状となるのは、Ｘ線撮影はレンズを使用し得ないため、鮮明な映像を得るためにはフイルムとＸ線発生装置にある程度の距離が必要であり、取付ける梁に長さが必要であることによる。またこのため、Ｘ線写真撮影においては、治具全体がカメラのフレームの役を果たすだけでなく、画像解析の面から適切な露光量と焦点距離を担保することとなり、丁度絞りの役目を果たすこととなる。
またこの場合、重量のあるＸ線発生装置は治具の下方に取付けられるため、装置全体の安定性も充分となる。
【００１２】
なお、本発明における「架空送電線」とは、電圧が２万ボルト未満の架空配電線、２万ボルト以上の架空送電線、地線およびこれらの接続部品、たとえば直線スリーブ、引留クランプ、ジャンパースリーブ等を含む概念であり、このため例えば地線や接続部品の検査に使用される治具である場合にも、本発明の権利範囲に含まれる。
また、「３組の相対向する頂点若しくはその近傍を相互に結合する部分」は、三角形の各辺に直交するかつ撮影時には水平に設置された状態となる部分を指す。
また、「その近傍」とは、治具の寸法や他の構成との配置の調整の如何にもよるが、１５ｃｍ以内が好ましく、１０ｃｍ以内がさらに好ましい。
前記「各梁をさらに結合する補助の梁」とは、例えば下部側梁の上部側と直角を挟む長辺とを結合する梁であり、それ以外の梁を何本か有していてもよい。
また、「梁」とは、棒材、コの字型材、Ｌ字型材、Ｉ字型材等を指す。
また、「骨組み構造」とは、自動車の車体等と異なり、主要な強度部材は板材でなく、梁であることを指す。
【００１３】
ここに、「直角を挟む短辺となる２本の梁は治具の使用時には上方に位置し」とあるが、これは通常の使用時のことであり、架空送電線の芯線の直下部や直上部のアルミ線の損傷の状態等を検査するため、同じ鉄塔間に架設されている他の架空送電線や特別な治具固定用具を使用して本発明の治具を９０度傾けて保持し、その状態で架空送電線をＸ線撮影することを排除するものではない（その場合にも、本発明の権利範囲に含まれる）。
【００１４】
請求項２に記載の発明は、前記の架空送電線のＸ線撮影用治具であって、
前記２つの不等辺直角三角形の各辺に相当する梁と前記３組の相対向する頂点若しくはその近傍を相互に結合する梁は、金属製管であることを特徴とする架空送電線のＸ線撮影用治具である。
【００１５】
本請求項の発明においては、梁が金属製管であるため、軽量でありさらに入手や加工が容易となる。
また、管は断面が円形であることが好ましい。重量あたりの強度が高く、人力で搬送する際や操作する際に、手で保持し易くなるためである。
【００１６】
請求項３に記載の発明は、前記の架空送電線のＸ線撮影用治具であって、
前記直角を挟む短辺となる２本の梁およびこれら２本の梁と同じ高さに位置する梁は、それら相互の結合は全て溶接によりなされており、
前記直角を挟む短辺となる２本の梁と前記直角を挟む長辺となる２本の梁との結合は、ボルト締めであることを特徴とする架空送電線のＸ線撮影用治具である。
【００１７】
本請求項の発明においては、全体として不等変三角柱状の治具の、使用時に上部にある短辺の部分は、梁相互の結合が溶接であるため強固となり、短辺の両端部における下方の梁との接続はボルト締めと鉤止めとなるため、架空送電線の好ましくない動揺の下方の梁への伝達が阻止される。
ここに、「これら２本の梁と同じ高さに位置する梁」とは、直角の頂点相互を結ぶ梁、短辺の非直角の頂点相互を結ぶ梁等の、不等変三角柱状の治具を使用状態で三角形に直面する方向から見たときに、短辺と重なる梁を指す。
なお、ボルト締めや鉤止めによる遊びがあると振動が減衰される効果は、前者はビルの鉄筋の接続に、後者は車両の連結器に採用されているが如く周知の技術である。
さらに、ボルト締めや鉤止めであるため、山間部で搬送する際に、分解、開放することと再組立てが容易となる。
【００１８】
請求項４に記載の発明は、前記の架空送電線のＸ線撮影用治具であって、
前記直角を挟む短辺となる２本の梁と前記直角を挟む長辺となる２本の梁とを結合するボルト締めは、着脱自在であり、かつボルトの回り止めを有していることを特徴とする架空送電線のＸ線撮影用治具である。
【００１９】
本請求項の発明においては、ボルトの回り止めを有しているため、安全性が向上する。
なお、「ボルトの回り止め」とは、ボルトとナットに回り止めの針金を通すこと、座金を嵌めること、２重ボルトとすること等、山間の検査場所で容易に施行可能な方法で行えれば手段を問わない。
【００２０】
請求項５に記載の発明は、前記の架空送電線のＸ線撮影用治具であって、
前記直角を挟む長辺となる２本の梁と、前記直角を挟む短辺となる２本の梁以外の梁との結合は溶接でなされていることを特徴とする架空送電線のＸ線撮影用治具である。
【００２１】
本請求項の発明においては、重量のあるＸ線撮影装置やそのバッテリーを固定する長辺となる梁が強固となり、固定も安定する。
【００２２】
請求項６に記載の発明は、前記の架空送電線のＸ線撮影用治具であって、
前記下部側梁は、その上部側で前記直角を挟む長辺となる２本の梁と各々補助の梁を介して固定支持され、前記の固定支持する箇所および当該箇所より下方となる位置での他の梁との結合は、溶接でなされていることを特徴とする架空送電線のＸ線撮影用治具である。
【００２３】
本請求項の発明においては、重量のあるＸ線撮影装置やそのバッテリーを固定する箇所が強固となり、固定も安定する。
【００２４】
請求項７に記載の発明は、前記の架空送電線のＸ線撮影用治具であって、
直角を挟む短辺となる２本の梁の間に平行して取付けられた２本の補助の梁を有し、これら２本の補助の梁に、前記移動用部と固定用部が、ともにボルトで取付けられていることを特徴とする架空送電線のＸ線撮影用治具である。
【００２５】
本請求項の発明においては、ボルトで取付けられているため、検査対象の架空送電線に合せての換装、人力で搬送する際に骨組み構造の治具本体から取外してその軽量化を図ることが可能となる。
また、直角を挟む短辺となる２本の梁の間に平行して取付けられた２本の梁により、治具の上部は一層強固となる。
【００２６】
請求項８に記載の発明は、前記の架空送電線のＸ線撮影用治具であって、
前記移動用部は、中央部に架空送電線を嵌め込む凹部が形成されたローラを有し、かつ治具の下部にＸ線発生装置を装着して架空送電線にローラを乗せた状態で、前記ローラが鉛直方向を向く様に取付けられていることを特徴とする架空送電線のＸ線撮影用治具である。
【００２７】
本請求項の発明においては、ローラがあるため搬送が容易となるだけでなく、搬送状態でローラが鉛直方向となるため、ローラを転がすことが容易となる。
また、ローラは架空送電線を嵌め込む凹部が形成されている（含む、両端につばがある円筒形）ため、動揺する架空送電線から脱線し難くなる。
【００２８】
請求項９に記載の発明は、前記の架空送電線のＸ線撮影用治具であって、
前記移動用部は、脱線防止用紐を有し、前記脱線防止用紐は、前記ローラを架空送電線に乗せた状態で、中央の部分は架空送電線の下方に位置し、両端の部分はローラを支持する部材の両端近傍かつ前記脱線防止用紐がローラの反対面側に位置する様に取付けられることを特徴とする架空送電線のＸ線撮影用治具である。
【００２９】
本請求項の発明においては、脱線防止用紐を有しているため、一層脱線し難くなる。
なお、「取付け」は、鉤機構による係止等を含み、結び付けに限定されない。
また、「紐」の材質は問わない。
【００３０】
請求項１０に記載の発明は、前記の架空送電線のＸ線撮影用治具であって、
前記固定用部の架空送電線を把持する部分と、前記移動用部のローラの下方の凹部とは、前記直角を挟む短辺となる２本の梁からの上下方向の高さが同じ位置にあることを特徴とする架空送電線のＸ線撮影用治具である。
【００３１】
本請求項の発明においては、直角を挟む短辺となる梁から、ひいては架空送電線から、使用状態で上下方向の高さが（長辺方向の距離が）同じ（ただし、１、２ｃｍ程度の誤差がある場合を含む）位置にあるため、架空送電線へのローラとクランプ間の乗せ変え、付け替えが便利となる。
【００３２】
請求項１１に記載の発明は、前記の架空送電線のＸ線撮影用治具であって、
前記移動用部は、前記不等辺直角三角形の２箇所の直角の頂点となる箇所かつ治具の外側に溶接された水平のリングを有していることを特徴とする架空送電線のＸ線撮影用治具である。
【００３３】
本請求項の発明においては、リングを有しているため、架空送電線上での治具のロープによる牽引が容易となる。この際、治具は直角の頂点となる箇所（含む、その近く５ｃｍ以内）、ひいては重量のあるＸ線発生装置の上部にあるため、牽引時に治具は傾いたりせず、安定する。
また、リングは水平かつ治具の外側であるため、結びつけた牽引用のロープの端部も治具の外側で垂れ下がることとなるため、ロープが架空送電線と干渉することがない。また、リングの治具の短辺となる梁への溶接による取付けが容易であり、その梁から上方に突出していないため、保守等の都合で治具を逆さまにする際にもリングが設置の障害とならない。
【００３４】
請求項１２に記載の発明は、前記の架空送電線のＸ線撮影用治具であって、
平面形は口字状であり、
天井枠と底枠と架空送電線に直行する方向の側端壁を有し、
天井枠は、前記直角を挟む短辺となる２本の梁、またはこれら２本の梁およびこれら２本の梁と同じ高さに位置する補助の梁から垂下した梁により水平に保持され、
底枠には中央に架空送電線が位置するための切欠きが形成され、さらに４箇所の隅角部には下方からボルトがねじ込まれており、
架空送電線に平行な側面からフイルムの装着および取出しが可能であり、
前記固定用部により治具を架空送電線に固定した状態で、前記装着したフイルムの下面が架空送電線の上端に接する様に調節することが可能であるフイルム装着部を有していることを特徴とする架空送電線のＸ線撮影用治具である。
【００３５】
本請求項の発明においては、上下の枠の間にフイルム（含む、ＩＰプレート等）を挟み込むため、フイルムの装着が容易となり、固定も安定する。この際、下方にあるボルトを調節することによりフイルムのみならずその上下に樹脂板やナンバープレート類をも併せて固定することが可能となる。さらに、フイルムを架空送電線の上部に密着させて配置することも容易となり、映像も鮮明になる。
なお、「直角を挟む短辺となる梁と同じ高さに位置する梁」とは、直角の頂点相互を結ぶ梁等を指し、直角を挟む短辺となる梁も含む。
また、フイルム装着部は、上部にある梁から垂下した梁（含む、棒）により４角を支持されていることが好ましいが、重量等の都合で２箇所の支持であってもよい。
また、平面形はロ字状であるため、Ｘ線撮影時に反射が少なく、反射によるＸ線で下方に（地上に）いる作業者が被曝することもない。
【００３６】
請求項１３に記載の発明は、前記の架空送電線のＸ線撮影用治具であって、
前記直角を挟む長辺となる２本の梁の下部かつ前記フイルム装着部から所定の距離の位置に、孔が所定の間隔で上下方向に形成された上下に細長い立板が各１個、前記孔が形成された面が治具の内部側に面する様に配置され、溶接で取付けられている構造のＸ線発生装置取付け部を有していることを特徴とする架空送電線のＸ線撮影用治具である。
【００３７】
本請求項の発明においては、長辺となる梁に溶接で固定された立板に形成された孔を使用してＸ線発生装置を取付けるが、立板には上下方向に多数の孔が５０ｍｍ等の所定の間隔で（間隔が全て同じとは限らない）あけられているため、状況に応じてＸ線発生装置とフイルム間の距離の調節が可能となる。
また、治具からＸ線発生装置を取外したり、逆に取付けたりすることが容易となるため、山中での人力による搬送等も便利となる。
【００３８】
請求項１４に記載の発明は、前記の架空送電線のＸ線撮影用治具であって、
Ｘ線発生装置は、両端を前記２個の上下に細長い立板にボルトで固定された上下２個の横板と、上下を前記上下２個の横板の中央にて固定された垂直板とを使用して治具に固定されていることを特徴とする架空送電線のＸ線撮影用治具である。
【００３９】
本請求項の発明においては、太い円柱状のＸ線発生装置が上下方向に立てられた状態でゴム材等を使用して垂直板に固定され、垂直板は上下２箇所で横板に固定され、２個の横板は各々左右２箇所で立板にボルトで固定されるため、Ｘ線発生装置は強固に、また容易に治具に固定される。
【００４０】
請求項１５に記載の発明は、前記の架空送電線のＸ線撮影用治具であって、
前記２本の下部側梁は、その上部で補助の梁にて相互に補強結合され、前記補助の梁の中央部には治具に取付けられたＸ線発生装置の落下防止用のロープを固定する鉤が設けられていることを特徴とする架空送電線のＸ線撮影用治具である。
【００４１】
本請求項の発明においては、Ｘ線発生装置の正面に鉤があるため、作業者は直ぐ鉤に気がつき、落下防止ロープを取付けることを忘れ難くなる。このため、安全性が増す。
なお、ここに「鉤」とは、ロープをしっかり固定あるいは縛り付けることができればよいため、純粋な鉤に限定されず、例えばリング状でもよい。
【００４２】
請求項１６に記載の発明は、前記の架空送電線のＸ線撮影用治具であって、
前記架空送電線に治具を固定するための固定用部は、
架空送電線の外周を把持して固定するためのクランプと、
前記クランプの架空送電線の外周を把持するための孔よりも小さい外径の架空送電線の外周を把持して固定することが可能である様に、カラーを有していることを特徴とする架空送電線のＸ線撮影用治具である。
【００４３】
本請求項の発明においては、固定用部の電線把持クランプの孔の内径よりも外径が小さい架空送電線を検査する場合に、毎回当該架空送電線の外径に適合したクランプに取り換えなくても済む様に、付属品としてカラーを有している。このため、外径がクランプの電線を嵌め込んで固定するための（把持用）の孔よりも少し小さい架空送電線にＸ線撮影用治具を固定する場合には、クランプの孔部に予め用意してある軽量なカラーを嵌め込み、カラーを介して架空送電線を嵌め込んで固定することとなる。これにより、複数の種類の、そして比較的重量のあるクランプを、測定現場まで搬入する必要がなくなる。
【００４４】
なお、カラーは２つ割れの金属製リングであり、外径はクランプの電線を嵌め込む孔と同じであり、内径は検査対象の架空送電線の外径と同じである。ただし、検査対象が前記の接続部品等であれば、内側の形状、寸法はそれらの外部の形状、寸法に適合したもの、例えば同じ寸法の六角形となる。さらに２つ割れであるため、リングの断面を凹型とし、リングの内部に架空送電線を通して固定し、さらにクランプでリングの凹型の断面の中央の凹部を把持し、リング両側の縁の凸部によりクランプの両側の面を挟み込んだ状態とし、これによりリングが架空送電線を固定しつつ、クランプから外れない様にしていてもよい。
【００４５】
また、クランプは原則としてボルトによりＸ線撮影用治具本体に取付けられているため、サイズが大きく相違した架空送電線を検査する場合には、その架空送電線用のクランプに取替えることが出来る。そして、新たな検査場所で、以前の場所で検査した架空送電線と外径が大きく相違し、しかも複数の種類の架空送電線を検査する場合には、Ｘ線撮影用治具を管理している場所（検査用治具の管理センター等）で、新規な測定場所で検査対象となる架空送電線のうち外径が一番大きい寸法のもの用のクランプに取り換えて、必要なカラーと共に測定現場へ運び込み、現場ではカラーのみを取り換える様にすることが可能となる。
従って、この場合には、クランプも複数種類あり、さらにカラーも各クランプの寸法毎に用意しておくこととなる。
【発明の効果】
【００４６】
本発明においては、全体として不等辺直角三角柱状の骨組み構造の治具であるため、軽量かつ強固となり、架空送電線上でＸ線撮影装置一式を撮影箇所に運んだり、取付けたりすることが容易かつ一層安全となる。
また、架空送電線をＸ線撮影することが容易かつ安全となる。
【００４７】
このため、架空送電線から試験試料を切り取る必要がなく、架空送電線の内部の腐食状況等の損傷の状態を適切に検査することができる。
また、Ｘ線撮影は外径の変化の測定や過流探傷法等に比較して精度が高いため、小さな異常でも検出可能となり、この様なＸ線撮影を本発明の治具により容易に架空送電線に適用可能になる。
【発明を実施するための最良の形態】
【００４８】
以下、本発明をその最良の実施の形態に基づいて説明する。なお、本発明は、以下の実施の形態に限定されるものではない。本発明と同一および均等の範囲内において、以下の実施の形態に対して種々の変更を加えることが可能である。
本発明の実施の形態の架空送電線のＸ線撮影用治具を、図面を参照しつつ説明する。図１は架空送電線上での治具を架空送電線が架設されている方向（搬送方向）から見た様子を概念的に示す図であり、図２は図１をそのＡに示す方向から見た図であり、図３は図１のＢＢ矢視（下から見た）図である。図４は、フイルムの装着部を概念的に示す図である。
【００４９】
これらの図において、１０は直角を挟む短辺となる（以下、「短辺の」とも記す）梁のうちの外側の梁（骨、骨組み）であり、１１はその引掛け部であり、１３は牽きロープ用リングであり、１５は短辺となる梁のうちの内側の梁である。２０は、直角を挟む長辺となる（以下、「長辺の」とも記す）梁であり、２１は２つの長辺の梁の下方にペアで取付けられたＸ線発生装置取付け用の立板であり、２２と２３はＸ線発生装置取付け用の上下の横板であり、２４は同じく固定用の垂直板であり、２８は吊り下げ結合用ボルトである。３１は、直角の斜辺となる梁のうちの下部側の梁であり、３２は同じく上部側の梁であり、３３は回転部であり、３４は鉤部である。
【００５０】
４０は、２つの斜辺の上部側を繋ぐ梁である、４１は２つの不等辺直角三角形（以下、ケースにより「三角形」とも記す）の直角の頂点部分を結合する（繋いで結合する）梁であり、４２は内側の梁の補助梁である。５０、５５、５６および５７も補助の梁である。５９は、ロープ用リング（鉤）である。
６０はフイルム装着部であり、６１と６２は各々その天井枠と底枠であり、６３はフイルム調節用ボルトであり、６４は上部の梁からフイルム装着部を吊り下げるため垂下した梁（棒材）であり、６５はフイルムである。８０はつば付きのローラであり、８１はローラ保持部であり、８２はローラの軸であり、８３はローラ取付け用ボルトであり、８４は脱線防止用紐である。８５は架空送電線を把持するクランプであり、８８はクランプ取付け用ボルトであり、９８はゴム材である。
【００５１】
９０は、Ｘ線発生装置であり、９１はそのバッテリーであり、９５は架空送電線である。なお、これらは治具の構成部分ではないため、点線で示している。
【００５２】
以下、全体および各部の構造、機能の詳細を説明する。
図１から図３に示す様に、治具は全体として不等辺直角三角柱状（以下、これもケースにより「三角形」とも記す）であり、２つの不等辺直角三角形の各辺は主に鋼管、具体的には軽量安価なガス管からなり、また２つの三角形の各頂点あるいはその近傍同士を結ぶ梁（骨）や補強用の梁も原則として鋼管からなる骨組み構造である。また、Ｘ線撮影においては、治具はＸ線発生装置とフイルム（含む、ＩＰプレート）を架空送電線上で撮影場所まで運びさらに固定する道具であるだけでなく、通常の光学写真機におけるボディあるいはケースおよび露光量と焦点を調節する絞り機構の役を担う部分でもある。
【００５３】
前記の如く、架空送電線上での搬送時や撮影時においては、全体として不等辺直角三角柱状の治具の直角を挟む短辺の部分が上方に位置し、長辺と斜辺の交差、結合部が最下方に位置し、さらに架空送電線は三角形の内部にあり、Ｘ線発生装置９０はその下方に固定されている。
三角形の内部に、架空送電線を取込むため、図１に示す様に、２つの斜辺は大きく下部側の梁３１と上部側の梁３２に分割され、上部側の梁３２はその下部にある回転部３３を中心として回転可能であり、その上部には鉤部３４が設けられており、この鉤部３４により短辺の外側の梁１０の引掛け部１１に引掛けて固定することと外すことが可能になっている。なお、安全のため、固定用のボルト締め機構や針金等をも装備しているが、周知技術であるため図示していない。
【００５４】
また、２本の下部側の梁３１は、その上部で補強用の補助の梁５７にて相互に固定され、同じく補強用の補助の梁５０にて長辺の梁２０にも固定されている。
さらに、２つの長辺の梁２０もほぼ同じ高さ位置で補助の梁５５にて相互に固定されており、三角形の治具の下部はＸ線発生装置を固定するために充分な強度を有する構造となっている。
【００５５】
２つの長辺の梁２０は長さが１ｍ程度であり、その下方には、図２に示す様に、相対向する側にペアでＸ線発生装置取付け用の立板２１が溶接で取付けられている。ただし、図２では、長辺の梁は斜辺３１、３２の背後にあるため見えない（図示していない）。この２つの立板２１には、Ｘ線撮影装置９０とフイルムとの距離を２５０ｍｍから５００ｍｍまで５０ｍｍピッチで調節可能とするために、即ち絞りの役を果たすことが可能な様に、同じ高さで上下方向に等間隔でボルトが貫通する孔があけられている。
また、ボルト用の孔を利用してボルト（図示せず）により上下の横板２２、２３が取付けられ、これら２つの横板２２、２３の中央にはＸ線発生装置をゴム材９８により固定するための垂直板２４が固定されている。
【００５６】
次に、短辺の外側の梁１０は長さが５０ｃｍ程度であり、その直角の頂点側に長辺の梁２０が吊り下げ結合用ボルト２８で取付けられており、同じく対向する端部側に斜辺の上部側の梁３２が鉤部３４で取付けられており、これにより下方にあるＸ線発生装置９０への架空送電線９５からの好ましくない動揺が吸収される構造となっている。
また、約５．５ｋｇと比較的重量があるＸ線撮影装置９０をしっかり固定して取付けるため、三角形の治具の長辺の梁２０と斜辺の下部側の梁３１は、溶接で結合されており、さらに２箇所の溶接箇所相互も補助の梁５６にて強固に固定された構造としている。
これらにより、丁度ビルの隅角部の鉄骨は溶接で強固に固定され、隅角部間の接続はボルトでなされているのと同様に、全体が強固となりしかも動揺し難くなる。
さらに、治具全体を短辺の梁の部分と長辺と斜辺からなる部分に分解することも可能であり、山間での人力による搬送が一層楽となる様にしている。
【００５７】
短辺に相当する梁は、外側の梁１０と内側の梁１５が各２本あるが、外側の梁１０は、長辺の梁２０の上部と斜辺の上部側の梁３２の鉤部３４に取付けられて冶具の外枠を形成している。図３に示す様に、２本の内側の梁１５には、ローラ８０とクランプ８５がボルト（含む、ナット）８３、８８を使用して取付けられている。これにより、検査対象の架空送電線の種類や寸法に応じて最適な寸法のものに換装したり、険しい山中で人力により搬送するのを容易とするために分解したりすることを可能としている。
【００５８】
短辺に相当する梁は合計４本あるが、これにより治具の上部は一層しっかりした構造となる。また、後で説明するが、２本の内側の梁１５には、フイルム装着部６０の支持をも兼ねて補助の梁４２が設置されており、これも構造の強化につながる。
ローラ８０は、架空送電線の測定箇所へＸ線発生装置９０、フイルム等を装備した治具全体を運ぶ時に、架空送電線９５上に乗せて転がすものである。このため、凹型そして両側につばがあり、ローラの軸８２を介してローラの保持部８１に回転自在に取付けられている。
また、アルミ製として、軽量化を図っている。
【００５９】
なお、治具全体を架空送電線９５上に乗せたときには、比較的重量があるＸ線発生装置９０とそのバッテリー９１の取付け位置の都合で治具全体が傾くため、ローラの保持部８１は図１に示す様に垂直面に３５度程度傾斜して内側の梁１５に取付けている。
また、ローラ８０が架空送電線９５から外れるのを防止するため、架空送電線９５にローラ８０を乗せた状態で、ローラの軸８２の両側に中央部が架空送電線９５とローラ８０の下方を通過する高強度樹脂製の脱線防止用紐８４の両端を結びつける様にしている。
【００６０】
架空送電線９５上で撮影場所まで治具全体を移動させるときおよび撮影終了後に治具全体を鉄塔まで移動させるときには、牽きロープ（図示せず）で牽くため、図３に明瞭に示す様に、短辺の外側の梁１０の直角の頂点近くの治具の外部側に牽きロープを結び付けるための牽きロープ用リング１３が水平に取付けられている。
撮影時には、治具全体を人力でローラ８０からクランプ８５に移し変える。この際、架空送電線は、三角形の骨組み内にあるため、誤って地上に落下する恐れはない。
また、移し変えを極力容易とするために、ローラ８０とクランプ８５は、ほぼ同じ高さになる様にしている。
【００６１】
クランプ８５で架空送電線を固定したときには、図３と図４に示す様に、架空送電線９５はフイルムの中央部直下に位置し、さらにその上端は図４のＡ−Ａ断面図に示す様に、フイルム６５の下端に近接している。
なお、Ｘ線撮影ではレンズを使用し得ないため、鮮明なＸ線写真を得るためには、Ｘ線源が小さいことの他に、被写体とＸ線源の距離をある程度大きくとり、フイルムと被写体を近接させることが不可欠である。
【００６２】
フイルム装着部６０の要部は、図４に示す様に、平面形は全体として口字型であり、上部はロ字型の天井枠６１からなり、４つの隅角部を短辺の内側の梁１５を補強支持する補助梁４２と直角の頂点を繋ぐ梁４１から垂下した合計４本の金属製の吊下げ用の垂下した梁６４により支持されている。
下部は２個のコの字型底枠６２からなり、下部の２個の底枠６２は相互に２本の足の先端部を架空送電線９５が通るスペースを空けて向き合う形に配置され、さらに架空送電線９５に直交する側壁で天井枠６１に溶接で固定されている。
【００６３】
図４のＡ―Ａ断面図にて点線で示すフイルム６５は、天井枠６１と底枠６２の間のスペースに架空送電線９５に直行する方向の開口から挿入される。
さらに、天井枠６１と底枠６２の各隅角部には、ねじ溝を切ったボルト６３が取付けられており、これにより上下両方からボルトを差し込んで、ボルトの先端で検査対象の架空送電線の外径に合わせてフイルム６５の高さの微調整を行い、架空送電線の上部にフイルム６５が密着した状態で、フイルム装着部６０にフイルム６５をしっかりと固定することが可能となっている。
また、図では示していないが、フイルム６５の上下にアクリル板を取付けたり、さらに下方のアクリル板とフイルム６５間にフイルムを特定するナンバープレートを挟み込んだり、さらには板バネで固定したりすることも可能である。
なお、天井枠６１が口字型であり、フイルムの上部に金属の覆いがない様にしているのは、Ｘ線の反射による画像の不鮮明化を防止するためと、下方にいる人の被曝を少しでも少なくするためである。風によりフイルムが振動することを防止し、またボルト等と併せてフイルムを固定することとなるため、天井枠６１の上部や天井枠とフイルムの間にアクリル板を設置することが好ましい。
【００６４】
Ｘ線発生装置９０は、重量がある。このため、図２に示す様に、２本の斜辺の下部側の梁の上部を固定支持する補助の梁５７の中央、そしてＸ線発生装置９０にほぼ対向する場所に、落下防止用ロープを結びつけるためのロープ用リング５９を設置している。なお、このロープ用リング５９は目立つ位置に設置されているため、作業者はＸ線発生装置９０にロープを結びつけることと、結びつけたロープをロープ用リング５９にしっかりと固定することを忘れることがない。
また、Ｘ線発生装置９０の治具への取付けはゴムバンド等を使用するが、そのための固定用フック（図示せず）等も装備している。
なお、架空送電線上で使用するだけでなく、僻地で使用するため、Ｘ線発生装置の下部にはバッテリーをファスナー式のバンドにて固定する様にしている。
【００６５】
最後に、振動特性について説明する。
架空送電線自体は、１０〜１００Ｈｚ程度の間でほぼ連続的に振動している。このためＸ線撮影用治具やＸ線装置が共振すると、綺麗なＸ線写真が撮れず、精度のよい検査が困難となるだけでなく、安全性の問題も生じかねない。そこで、治具の各部に発生する歪と治具の固有振動数を測定し、併せて架空送電線との共振性について調べた。
【００６６】
図５に、測定を行っている振動系の様子を示す。図５において、１２はＸ線撮影用治具であり、９６は加振機であり、９７は重量５０Ｋｇの錘であり、９９は変位計である。測定対象の架空送電線９５は、全長が約２０ｍで、１５％ＵＴＳ（抗張力）の引張力（１６，４００Ｎ）を与えた状態のＩＡＣＳＲ１２０ｓｑ（鋼芯イ号アルミ合金撚り線、断面積１２０ｍｍ２）である。測定対象の架空送電線をＩＡＣＳＲ１２０ｓｑとしたのは、微風振動の発生の可能性が高いことによる。
また、錘９７は、人に見立てたものである。またこのため、錘９７を付加したときと、付加していないときの両方で加振試験を行った。なお、錘９７は、図５では１つしか描かれていないが、Ｘ線撮影用治具１２の両側の等距離の位置に各１固取付けている。
【００６７】
図６に、歪ゲージの貼付け位置を示す。図６の１から６が貼付け箇所であり、各々垂直板２４、斜辺の上部側の梁３２、斜辺の下部側の梁３１、長辺の梁２０の中央部、上側の横板２２、下側の横板２３である。
錘を付加していないときの測定結果を、図７と図８に示す。図７は図６の１から３の位置の測定結果を示すものであり、図８は同じく図６の４から６の位置の測定結果と架空送電線の振幅を示すものである。
【００６８】
測定結果であるが、Ｘ線発生装置を吊下げる不等辺直角三角柱状の治具の長辺と斜辺の部分に発生する歪は最大で約±８μであり、長辺および斜辺の長さ１ｍあたりの上下方向の伸縮は約８μｍと、電線振幅の±２．６ｍｍに比較して極めて小さい。前記のボルト締めや鉤部の遊びによる減衰効果も寄与しているためと思われる。
また、Ｘ線発生装置を取付ける箇所に発生する歪は最大で±２６μと小さく、横方向の当該箇所の固有振動数は２８．３Ｈｚであることが判る。
【００６９】
データは省略するが、錘９７を付加した場合、歪はさらに小さく、また他の条件の実験からも、Ｘ線発生装置の各部に発生する歪、ひいては応力や伸縮は極めて小さく、また架空送電線の振動に共振を起こさないことが確認できた。
【００７０】
次に、治具本体とは直接の関係はないが、Ｘ線の取扱いには細心の注意を払っている。具体的には、Ｘ線発射ボタンにはカバーを付加し、Ｘ線発生装置の電源を入れるキーの脱落防止コードを取付けている。
また、作業者はサーベイメータを身に着けている。
また、未使用のフイルムには白テープを巻付けておき、使用毎に外すことにより誤って再使用することを防ぐ様にしている。
また、フイルムのケースには鉛板を貼り付け、露光を防止している。
【図面の簡単な説明】
【００７１】
【図１】本発明の実施の形態の架空送電線のＸ線撮影用治具を、架空送電線が架設されている方向から見た側面を概念的に示す図である。
【図２】図１のＡ方向矢視図である。
【図３】図１のＢＢ方向矢視図である。
【図４】フイルムの装着部を概念的に示す図である。
【図５】Ｘ線撮影用治具の振動試験における測定系の構成を示す図である。
【図６】Ｘ線撮影用治具の測定箇所を示す図である。
【図７】Ｘ線撮影用治具の測定結果の一部を示す図である。
【図８】Ｘ線撮影用治具の測定結果の一部と架空送電線の振動の様子を示す図である。
【符号の説明】
【００７２】
１０    短辺の外側の梁
１１    引掛け部
１２    Ｘ線撮影用治具
１３    牽きロープ用リング
１５    短辺の内側の梁
２０    長辺の梁
２１    立板
２２    横板（上側）
２３    横板（下側）
２４    垂直板
２８    吊り下げ結合用ボルト
３１    斜辺の下部側の梁
３２    斜辺の上部側の梁
３３    回転部
３４    鉤部
４０    斜辺の上部側を繋ぐ梁
４１    直角の頂点を繋ぐ梁
４２    内側の梁の補助梁
５０、５５、５６、５７    補助の梁
５９    ロープ用リング
６０    フイルム装着部
６１    天井枠
６２    底枠
６３    フイルム調節用ボルト
６４    垂下した梁
６５    フイルム
８０    つば付きのローラ
８１    ローラ保持部
８２    ローラの軸
８３    ローラ取付け用ボルト
８４    脱線防止用紐
８５    クランプ
８８    クランプ取付け用ボルト
９０    Ｘ線発生装置
９１    バッテリー
９５    架空送電線
９６    加振機
９７    錘
９８    ゴム材
９９    変位計
【図１】
2007292508.tif 000003
【図２】
2007292508.tif 000004
【図３】
2007292508.tif 000005
【図４】
2007292508.tif 000006
【図５】
2007292508.tif 000007
【図６】
2007292508.tif 000008
【図７】
2007292508.tif 000009
【図８】
2007292508.tif 000010